(57)【特許請求の範囲】
【請求項１】
家電機器のプラグが接続される差し込み口を少なくとも１つ具備すると共に建物の部屋のコンセントに接続される電源供給用電気器具を用いた多機能管理システムであって、
部屋の状態を感知するセンサ部と、
前記電源供給用電気器具に具備され、前記センサ部の感知結果を通報する通報手段と、
前記電源供給用電気器具に具備され、前記センサ部の感知結果を基にして、差し込み口に対する商用電源の供給が可能な状態と供給が不可の状態とを切り替える制御手段と、
前記電源供給用電気器具に具備され、在宅を表す在宅モードまたは不在を表す不在モードを切り替えるためのモード切り替えスイッチと、
を備え、
前記制御手段は、前記モード切り替えスイッチが在宅モードであって、前記建物の外部から通電の指示を受け取り、前記センサ部が人体を感知し、前記家電機器が前記差し込み口に接続されている場合には前記商用電源の供給を可能とし、前記モード切り替えスイッチが在宅モードであって、前記建物の外部から節電の指示を受け取り、前記センサ部が人体を感知しない場合、あるいは前記家電機器が前記差し込み口に接続されていない場合には前記商用電源の供給を不可とし、
前記通報手段は、前記モード切り替えスイッチが不在モードの際に、前記センサ部が人体を感知すると、警報信号を外部に通報する、
ことを特徴とする多機能管理システム。
【請求項２】
前記センサ部は、
部屋の状態を感知して感知結果を送信する送信部と、
前記電源供給用電気器具に具備され、前記送信部からの感知結果を受信して前記制御手段に送る受信部と、
を備えることを特徴とする請求項１に記載の多機能管理システム。
【請求項３】
前記通報手段は、外部のネットワークに接続する制御を行うルータに、建物内の電灯線を利用して前記センサ部の感知結果を送ることを特徴とする請求項１または２のいずれか１項に記載の多機能管理システム。
【発明の詳細な説明】
【技術分野】
【０００１】
この発明は、テーブルタップのような電源供給用電気器具を用いて、省エネルギー機能を含む多機能により需要家宅を管理する多機能管理システムに関する。
【背景技術】
【０００２】
住宅等の各種の建物には、商用電源を取り出すためのコンセントが室内の壁などに設けられている。これらのコンセントから離れた所で家電機器を使用する場合に、この家電機器の電源コードがコンセントに届かないとき、テーブルタップが使用される。こうしたテーブルタップには、例えば省エネルギー機能を持つものがある（例えば、特許文献１参照。）。このテーブルタップは、複数のコンセントと無線通信装置をコンセント本体内に備え、外部からの無線により、各コンセントに接続されている家電機器に対する電力の供給状態を切り替える。つまり、このテーブルタップは無線による指示で需要家宅の省エネルギーを行っている。
【０００３】
また、テーブルタップには、省エネルギー機能を人体感知で行うものがある（例えば、特許文献２参照。）。このテーブルタップは、人体感知センサと複数のコンセントをコンセント本体内に備え、人体感知センサが人体を感知しなくなると、コンセントに接続されている家電機器に対する電力の供給を止める。つまり、このテーブルタップは人体感知を利用して需要家宅の省エネルギーを行っている。
【特許文献１】特開２００２−４４８８２号公報
【特許文献２】特開２００５−２７６５９５号公報
【発明の開示】
【発明が解決しようとする課題】
【０００４】
しかし、先に述べた各テーブルタップ、例えば無線通信により省エネルギーを行うテーブルタップには次の課題がある。このテーブルタップの設置場所によっては電波が届かない場合があり、この場合には、テーブルタップの省エネルギー機能が損なわれてしまう。また、人体を感知して省エネルギーを行うテーブルタップには次の課題がある。このテーブルタップの設置場所に例えば花瓶のような、人体感知センサに対して障害となる物があると、テーブルタップの人体感知センサが人体の有無を検出することができなくなる。こうした場合には、やはりテーブルタップの省エネルギー機能が損なわれてしまう。
【０００５】
さらに、各テーブルタップは、家電機器の省エネルギーという、一つの機能を持つだけであり、需要家宅の家人に対して有益な他の機能を持ち合わせてはいない。
【０００６】
この発明の目的は、前記の課題を解決し、テーブルタップのような電源供給用電気器具を利用し、省エネルギー機能を含む多機能により、需要家宅の管理を可能にする多機能管理システムを提供することにある。
【課題を解決するための手段】
【０００７】
前記の課題を解決するために、請求項１の発明は、家電機器のプラグが接続される差し込み口を少なくとも１つ具備すると共に建物の部屋のコンセントに接続される電源供給用電気器具を用いた多機能管理システムであって、部屋の状態を感知するセンサ部と、前記電源供給用電気器具に具備され、前記センサ部の感知結果を通報する通報手段と、前記電源供給用電気器具に具備され、前記センサ部の感知結果を基にして、差し込み口に対する商用電源の供給が可能な状態と供給が不可の状態とを切り替える制御手段と、前記電源供給用電気器具に具備され、在宅を表す在宅モードまたは不在を表す不在モードを切り替えるためのモード切り替えスイッチと、を備え、前記制御手段は、前記モード切り替えスイッチが在宅モードであって、前記建物の外部から通電の指示を受け取り、前記センサ部が人体を感知し、前記家電機器が前記差し込み口に接続されている場合には前記商用電源の供給を可能とし、前記モード切り替えスイッチが在宅モードであって、前記建物の外部から節電の指示を受け取り、前記センサ部が人体を感知しない場合、あるいは前記家電機器が前記差し込み口に接続されていない場合には前記商用電源の供給を不可とし、前記通報手段は、前記モード切り替えスイッチが不在モードの際に、前記センサ部が人体を感知すると、警報信号を外部に通報する、ことを特徴とする多機能管理システムである。
【０００８】
請求項１の発明では、センサ部が部屋の状態を感知している。制御手段は、モード切り替えスイッチが在宅モードで、建物の外部から通電の指示を受け取った際に、センサ部が人体を感知し、家電機器が差し込み口に接続されている場合には商用電源の供給を可能とし、建物の外部から節電の指示を受け取った場合や家電機器が差し込み口に接続されていない場合には商用電源の供給を不可とし、通報手段は、モード切り替えスイッチが不在モードの際に、センサ部が人体を感知すると、警報信号を外部に通報する。
【０００９】
請求項２の発明は、請求項１に記載の多機能管理システムにおいて、前記センサ部は、部屋の状態を感知して感知結果を送信する送信部と、前記電源供給用電気器具に具備され、前記送信部からの感知結果を受信して前記制御手段に送る受信部と、を備えることを特徴とする。
【００１１】
請求項３の発明は、請求項１または２のいずれか１項に記載の多機能管理システムにおいて、前記通報手段は、外部のネットワークに接続する制御を行うルータに、建物内の電灯線を利用して前記センサ部の感知結果を送ることを特徴とする。
【発明の効果】
【００１４】
請求項１の発明によれば、センサ部の感知結果を通報する機能と共に、感知結果を基にして、差し込み口に対する商用電源の供給の状態を切り替える省エネルギー機能を持つので、建物内で多機能な管理を可能にする。
【００１５】
請求項２の発明によれば、送信部を部屋の任意の場所に設置することにより、従来のように障害物でセンサ部が動作しなくなる、という状態が生じることを防ぐことができる。
【００１６】
さらに、請求項１の発明によれば、センサ部の感知結果と共にモード切り替えスイッチで指定されたモードを基にして商用電源の供給の状態を切り替えるので、供給状態の多様な切り替えを可能にする。
【００１７】
請求項３の発明によれば、電灯線通信を用いて、センサ部の感知結果をルータに送るので、建物や部屋の任意の場所から、感知結果をネットワークに送ることができる。
【００１８】
また、請求項１の発明によれば、センサ部の感知結果と共に外部からの通電や節電の指示を基にして商用電源の供給の状態を切り替えるので、供給状態の多様な切り替えを可能にする。
【発明を実施するための最良の形態】
【００１９】
次に、この発明の実施の形態について、図面を用いて詳しく説明する。以下の実施の形態では、商用電源を使用する一般の需要家宅を例として説明する。
【００２０】
（実施の形態１）
この実施の形態による多機能管理システムを図１および図２に示す。この多機能管理システムは、需要家宅Ｈに設置されているルータ１、ＰＬＣ（Ｐｏｗｅｒ  Ｌｉｎｅ  Ｃｏｍｍｕｎｉｃａｔｉｏｎ：電力線通信）モデム２、需要家宅Ｈの部屋Ｈ１、Ｈ２にそれぞれ設置されている人感センサ３、４および需要家宅Ｈで使用されるテーブルタップ５を備えている。
【００２１】
需要家宅Ｈでは、商用電源ＡＣが電力量計１０１と分電盤１０２を経て、顧客宅Ｈの部屋Ｈ１、Ｈ２に供給されるが、この供給の様子は図示を省略している。また、需要家宅Ｈの部屋Ｈ１、Ｈ２に設置されているコンセント１１１、１１２に対しても、分電盤１０２からの電灯線１２１により商用電源ＡＣが供給される。コンセント１１１、１１２は、部屋Ｈ１、Ｈ２の壁等に設置されている埋め込み型コンセントである。
【００２２】
ルータ１は、インターネット等のネットワークＮＷとデータの伝送をするとき、データを伝送する経路の選択や、データの中継などを行う。ルータ１にはＬＡＮ（Ｌｏｃａｌ  Ａｒｅａ  Ｎｅｔｗｏｒｋ）によって、例えば部屋Ｈ２に設けられたＬＡＮ端子２１２が接続されている。ＰＬＣモデム２は、電力線を使って通信を行うために用いられる通信装置、つまり、電力線通信用の装置である。ＰＬＣモデム２は、需要家宅Ｈ内の電灯線１２１を利用して伝送されるデータ信号を、商用電源ＡＣから分離し、このデータ信号をルータ１に送る。また、ＰＬＣモデム２は、ネットワークＮＷからのデータ信号、つまり、ルータ１から受け取ったデータ信号を、需要家宅Ｈの電灯線１２１を用いて伝送する。
【００２３】
人感センサ３は、需要家宅Ｈの部屋Ｈ１の天井に設置されている。なお、人感センサ３の設置場所は、部屋Ｈ１の天井に限らず、壁などであってもよい。人感センサ３は、図３に示すように、焦電センサ３１、制御部３２、無線通信部３３、スイッチ３４および電源部３５を備えている。電源部３５は、分電盤１０２からの商用電源ＡＣを所定の直流電源ＤＣに変換し、この直流電源ＤＣを焦電センサ３１、制御部３２および無線通信部３３に供給する。焦電センサ３１は、人体が発生する赤外線を感知し、感知結果を制御部３２に送る。無線通信部３３は、制御部３２の制御によって、各種の信号を無線で送信する。無線通信部３３による無線通信には、電波や赤外線などが用いられる。スイッチ３４は、複数のＩＤ（ＩＤｅｎｔｉｆｉｅｒ  ｎｕｍｂｅｒ：識別番号）を切り替えるためのものであり、１番〜Ｎ番まである。制御部３２は、焦電センサ３１の感知結果を示すセンサ信号を、無線通信部３３を制御して送信する。焦電センサ３１の感知結果が人体ありである場合には、制御部３２は、無線通信部３３を制御して、スイッチ３４で設定された番号に対応するＩＤを表すＩＤ信号を、センサ信号と共に送信する。
【００２４】
テーブルタップ５は、コンセント１１１、１１２を利用する電源供給用電気器具であり、図４および図５に示すように、コンセント１１１、１１２に差し込まれるプラグ５１と、一端がプラグ５１に接続されているケーブル５２と、ケーブル５２の他端が接続されている本体５３とで構成されている。本体５３は、図６に示すように、電源スイッチ５３Ａ、電源タップ５３Ｂ〜５３Ｄ、電源部５３Ｅ、ＰＬＣモデム５３Ｆ、モード切り替えスイッチ５３Ｇ、無線受信部５３Ｈ、制御部５３Ｊ、表示部５３Ｋ、電源リレー部５３Ｌ、接続検出部５３Ｍ、ＬＡＮ端子５３Ｎおよび警報出力端子５３Ｐを備えている。
【００２５】
電源スイッチ５３Ａは、本体５３の表面側に設けられ、プラグ５１からの商用電源ＡＣを本体５３に供給するかどうかを切り替えるオン・オフスイッチである。電源タップ５３Ｂ〜５３Ｄは、需要家宅Ｈで使用される家電機器（図示を省略）のコンセントがそれぞれ接続される差し込み口である。電源部５３Ｅは、プラグ５１からの商用電源ＡＣを所定の直流電源ＤＣに変換し、この直流電源ＤＣをＰＬＣモデム５３Ｆ〜接続検出部５３Ｍに供給する。ＰＬＣモデム５３Ｆは、ＰＬＣモデム２と同様に、プラグ５１を経て商用電源ＡＣと共に伝送されるデータ信号を分離し、このデータ信号を制御部５３Ｊに送る。また、ＰＬＣモデム５３Ｆは、制御部５３Ｊからのデータ信号を、需要家宅Ｈの宅内の電灯線１２１を用いてＰＬＣモデム２に伝送する。
【００２６】
モード切り替えスイッチ５３Ｇは、電源スイッチ５３Ａと共に本体５３の表面側に設けられ、需要家宅Ｈに家人が在宅することを表す在宅モード、または、家人の不在を表す不在モードを制御部５３Ｊに送る。つまり、モード切り替えスイッチ５３Ｇのモードが在宅の場合には、モード切り替えスイッチ５３Ｇは、ハイレベルを表す値「１」の在宅モード信号と、ローレベルを表す値「０」の不在モード信号を制御部５３Ｊに送り、モードが不在の場合には、値「０」の在宅モード信号と値「１」の不在モード信号を制御部５３Ｊに送る。無線受信部５３Ｈは、人感センサ３、４から無線で送信される信号、つまり、センサ信号やＩＤ信号を受信し、受信した信号を制御部５３Ｊに送る。
【００２７】
電源リレー部５３Ｌは、制御部５３Ｊの制御によって、電源タップ５３Ｂ〜５３Ｄの状態を切り替える。つまり、電源リレー部５３Ｌは、制御部５３Ｊから出力される信号である通電設定が値「１」であると、プラグ５１からの商用電源ＡＣを電源タップ５３Ｂ〜５３Ｄに出力する。これにより、テーブルタップ５が使用可能な状態になる。また、電源リレー部５３Ｌは、制御部５３Ｊから値「０」の通電信号を受け取ると、プラグ５１からの商用電源ＡＣを遮断し、電源タップ５３Ｂ〜５３Ｄから商用電源ＡＣが出力されないようにする。これにより、テーブルタップ５が使用不可の状態になる。表示部５３Ｋは、電源タップ５３Ｂ〜５３Ｄが使用可能状態か使用不可状態かを、発光などで表示する。接続検出部５３Ｍは、電源タップ５３Ｂ〜５３Ｄに家電機器（図示を省略）のコンセントが接続されているかどうかを検出する。接続検出の方法として、例えば電源タップ５３Ｂ〜５３Ｄに流れる商用電源ＡＣの電流を検出し、電流の有無によって家電機器（図示を省略）が接続状態にあるか、非接続状態にあるかを検出する。また、例えば電源タップ５３Ｂの差し込み口の間に押下スイッチを設け、このスイッチが家電機器（図示を省略）のプラグの差し込みでオン・オフすることにより、電源タップ５３Ｂに家電機器（図示を省略）が接続されているかどうかを検出する。接続検出部５３Ｍは、家電機器（図示を省略）の接続状態を表す接続信号を制御部５３Ｊに送る。なお、この実施の形態では、家電機器（図示を省略）が接続されていると、接続信号の値が「１」であり、接続されていないと、接続信号の値が「０」である。
【００２８】
ＬＡＮ端子５３Ｎは、需要家宅Ｈに形成されているＬＡＮに接続するための端子であり、警報出力端子５３Ｐは、需要家宅Ｈに侵入者が居るかどうかを表す警報出力を出す端子である。警報出力端子５３Ｐは別の警報装置などに接続される。
【００２９】
制御部５３Ｊは、センサ信号等の各種信号を基にして、値が「０」または「１」の侵入者通知および通電設定を出力すると共に、同じく値が「０」または「１」の警報出力を警報出力端子５３Ｐに出す。このために、制御部５３Ｊは、図７に示すように、処理回路５３Ｊ１とロジック回路５３Ｊ２を備えている。
【００３０】
処理回路５３Ｊ１は、内部に演算回路や記憶回路などを備えて、各種の処理を行う。処理回路５３Ｊ１は、各種の処理の中で次の外部指示処理を行う。処理回路５３Ｊ１は、テーブルタップ５を通電で使うか、節電で使うかの指示を外部から、つまりＰＬＣモデム５３Ｆから受け取る。なお、この指示をＬＡＮ端子５３Ｎから受け取るようにしてもよい。こうした指示（以下、「外部指示」という）は、例えば家人が外出先で携帯電話等の携帯端末を用い、ネットワークＮＷ経由で出されたものである。通電は、商用電源ＡＣを常時テーブルタップ５から取り出しが可能な状態であり、節電は、商用電源ＡＣの取り出しが不可の状態である。処理回路５３Ｊ１は、通電の外部指示を受け取ると、値「１」の通電信号と値「０」の節電信号をロジック回路５３Ｊ２に送る。また、処理回路５３Ｊ１は、節電の外部指示を受け取ると、値「０」の通電信号と値「１」の節電信号をロジック回路５３Ｊ２に送る。
【００３１】
また、処理回路５３Ｊ１は次のセンサ入力処理を行う。処理回路５３Ｊ１は、人体ありを表すセンサ信号とＩＤ信号を無線受信部５３Ｈから受信すると、センサ信号の受け取りを表す、値「１」のセンサ入力と、ＩＤ信号の受け取りを表す信号であり、値「１」のＩＤ検出・比較を、ロジック回路５３Ｊ２に送る。このとき、処理回路５３Ｊ１は、受け取ったＩＤに対応する検出場所、例えば居間などのような部屋名を調べる。一方、処理回路５３Ｊ１は、人体なしを表すセンサ信号を受け取ると、値「０」のセンサ入力と、値「０」のＩＤ検出・比較をロジック回路５３Ｊ２に送る。
【００３２】
さらに、処理回路５３Ｊ１は次の警報出力処理を行う。処理回路５３Ｊ１は、ロジック回路５３Ｊ２から後述する信号である、値「１」の侵入者通知を受け取ると、先の処理で調べた検出場所と侵入者ありを示す警報信号を生成する。そして、処理回路５３Ｊ１は、生成した警報信号をＰＬＣモデム５３Ｆに送る。なお、この信号をＬＡＮ端子５３Ｎに出力するようにしてもよい。一方、ロジック回路５３Ｊ２から値「０」の侵入者通知を受け取った場合、処理回路５３Ｊ１は警報信号を出力しない。
【００３３】
ロジック回路５３Ｊ２は、各信号の演算を行って、侵入者通報と通電設定とを出力する。ロジック回路５３Ｊ２は、図８に示すように、値が「０」または「１」の侵入者通知を出力する侵入検出回路部分と、同じく値が「０」または「１」の通電設定を出力する節電設定回路部分とからなる。侵入検出回路部分はアンドゲートＧＡ１１〜ＧＡ１３と、不感帯タイマーＴＭ１１とを備え、節電設定回路部分はアンドゲートＧＡ２１〜ＧＡ２３と、オアゲートＧＡ２４、ＧＡ２５と、不感帯タイマーＴＭ２１とを備えている。こうしたロジック回路５３Ｊ２は、次のように動作する。
【００３４】
テーブルタップ５のモード切り替えスイッチ５３Ｇが在宅モードである場合、ロジック回路５３Ｊ２は、値「１」の在宅モード信号と、値「０」の不在モード信号をモード切り替えスイッチ５３Ｇから受け取り、第１の動作を行う。ロジック回路５３Ｊ２の侵入検出回路部分のアンドゲートＧＡ１１は、値「１」の在宅モード信号を反転した値「０」の信号と、値「０」の不在モード信号により、値「０」の出力をアンドゲートＧＡ１３に送り、アンドゲートＧＡ１３は、値「０」の出力を不感帯タイマーＴＭ１１に送る。不感帯タイマーＴＭ１１は、アンドゲートＧＡ１３の出力の値が所定時間内で変わるときには、この信号を次に送らない。アンドゲートＧＡ１３からの値「０」の出力が所定時間後にも安定して出力されていると、不感帯タイマーＴＭ１１は値「０」を出力する。これにより、侵入検出回路部分は、警報出力端子５３Ｐの値を「０」にすると共に値「０」の侵入者通知を処理回路５３Ｊ１に送る。この出力状態は、侵入検出回路部分が値「１」の在宅モード信号と値「０」の不在モード信号とを受けている場合には、アンドゲートＧＡ１３が値「０」を出力するので、変わらない。この結果、テーブルタップ５のモード切り替えスイッチ５３Ｇを在宅モードにすると、ロジック回路５３Ｊ２は、値「０」の侵入者通知を出力して、侵入者がいないことを通知する。
【００３５】
テーブルタップ５のモード切り替えスイッチ５３Ｇが在宅モードである場合、人感センサ３、４が人体を感知すると、処理回路５３Ｊ１のセンサ入力処理により、センサ入力およびＩＤ検出・比較の両方の値が「１」となるので、ロジック回路５３Ｊ２は、これらの値を受けて第２の動作を行う。ロジック回路５３Ｊ２の侵入検出回路部分のアンドゲートＧＡ１２は、これらの値を受け取り、値「１」の出力を節電設定回路部分の不感帯タイマーＴＭ２１に送る。不感帯タイマーＴＭ２１は、不感帯タイマーＴＭ１１と同様に、アンドゲートＧＡ１２の出力が所定時間内で変わるときには、この信号を次に送らない。アンドゲートＧＡ１２の出力が安定していると、不感帯タイマーＴＭ２１は値「１」の出力をアンドゲートＧＡ２１に送る。アンドゲートＧＡ２１は、不感帯タイマーＴＭ２１からの出力と、アンドゲートＧＡ１１からの値「０」の出力を反転した値「１」とにより、値「１」の出力をオアゲートＧＡ２４に送り、オアゲートＧＡ２４は値「１」の出力をアンドゲートＧＡ２３に送る。
【００３６】
こうした状態のとき、アンドゲートＧＡ２３は、家電機器（図示を省略）の接続信号に応じた値を出力する。接続検出部５３Ｍからの接続信号が値「１」であるとき、つまり、モード切り替えスイッチ５３Ｇが在宅モードである場合に、テーブルタップ５に家電機器（図示を省略）が接続されているとき、アンドゲートＧＡ２３は値「１」を出力する。これにより、節電設定回路部分は、値「１」の通電設定を電源リレー部５３Ｌに送る。この結果、電源リレー部５３Ｌがテーブルタップ５を使用可能な状態にする。一方、接続検出部５３Ｍからの接続信号が値「０」であるとき、つまり、テーブルタップ５に家電機器（図示を省略）が接続されていないとき、アンドゲートＧＡ２３は値「０」を出力する。これにより、節電設定回路部分は、値「０」の通電設定を電源リレー部５３Ｌに送る。この結果、電源リレー部５３Ｌがテーブルタップ５を使用不可の状態にする。
【００３７】
テーブルタップ５のモード切り替えスイッチ５３Ｇが在宅モードである場合、人感センサ３、４が人体を感知しないと、処理回路５３Ｊ１のセンサ入力処理により、センサ入力およびＩＤ検出・比較の値は「０」となるので、ロジック回路５３Ｊ２は、これらの値を受けて第３の動作を行う。ロジック回路５３Ｊ２の侵入検出回路部分のアンドゲートＧＡ１２は、これらの値を受けて、値「０」の出力を節電設定回路部分の不感帯タイマーＴＭ２１に送る。この後、不感帯タイマーＴＭ２１が値「０」の出力をアンドゲートＧＡ２１に送る。アンドゲートＧＡ２１の一方の入力には、侵入検出回路部分のアンドゲートＧＡ１１の値「０」の出力を反転した、値「１」が加わっているので、アンドゲートＧＡ２１は、値「０」の出力をオアゲートＧＡ２４に送る。
【００３８】
これにより、オアゲートＧＡ２４は、オアゲートＧＡ２５からの出力に応じた値を出す。つまり、外部からの通電信号が値「１」（節電信号は値「０」）であると、節電設定回路部分のオアゲートＧＡ２５は値「１」の出力をオアゲートＧＡ２４に送る。これにより、オアゲートＧＡ２４は、値「１」の出力をアンドゲートＧＡ２３に送る。この結果、アンドゲートＧＡ２３は、家電機器（図示を省略）の接続信号に応じた値を出力する。接続検出部５３Ｍからの接続信号が値「１」であるとき、つまり、テーブルタップ５に家電機器（図示を省略）が接続されているとき、アンドゲートＧＡ２３は値「１」を出力する。これにより、節電設定回路部分は、値「１」の通電設定を電源リレー部５３Ｌに送る。この結果、電源リレー部５３Ｌがテーブルタップ５を使用可能な状態にする。一方、接続検出部５３Ｍからの接続信号が値「０」であるとき、つまり、テーブルタップ５に家電機器（図示を省略）が接続されていないとき、アンドゲートＧＡ２３は値「０」を出力する。これにより、節電設定回路部分は、値「０」の通電設定を電源リレー部５３Ｌに送る。この結果、電源リレー部５３Ｌがテーブルタップ５を使用不可の状態にする。
【００３９】
一方、テーブルタップ５のモード切り替えスイッチ５３Ｇが在宅モードである場合、人感センサ３、４が人体を感知しないときに、外部からの節電信号が値「１」（通電信号は値「０」）であると、節電設定回路部分のアンドゲートＧＡ２２は、節電信号反転した値「０」により、値「０」の出力をオアゲートＧＡ２５に送る。オアゲートＧＡ２５の一方の入力には、値「０」の通電信号が加わっているので、オアゲートＧＡ２５は、値「０」の出力をオアゲートＧＡ２４に送る。オアゲートＧＡ２４の一方の入力には、アンドゲートＧＡ２１からの値「０」の出力が加わっているので、オアゲートＧＡ２４は、値「０」の出力をアンドゲートＧＡ２３に送る。これにより、アンドゲートＧＡ２３は値「０」を出力する。つまり、外部からの節電信号が値「１」であるとき、節電設定回路部分は、値「０」の通電設定を電源リレー部５３Ｌに送る。この結果、電源リレー部５３Ｌがテーブルタップ５を使用不可の状態にする。
【００４０】
テーブルタップ５のモード切り替えスイッチ５３Ｇが不在モードである場合、ロジック回路５３Ｊ２は、値「１」の不在モード信号（在宅モード信号は値「０」）をモード切り替えスイッチ５３Ｇから受け取り、第４の動作を行う。ロジック回路５３Ｊ２の侵入検出回路部分のアンドゲートＧＡ１１は、値「０」の在宅モード信号を反転した値「１」の信号と、値「１」の不在モード信号により、値「１」の出力をアンドゲートＧＡ１３に送る。
【００４１】
これにより、アンドゲートＧＡ１３は、センサ入力の値とＩＤ検出・比較の値とに応じた値を出力する。つまり、人感センサ３、４が人体を感知しない場合、処理回路５３Ｊ１のセンサ入力処理により、センサ入力およびＩＤ検出・比較の両方の値が「０」であるので、これらの値により、アンドゲートＧＡ１２は値「０」の出力をアンドゲートＧＡ１３に送る。これにより、アンドゲートＧＡ１３は値「０」の出力を不感帯タイマーＴＭ１１に送る。この後、不感帯タイマーＴＭ１１が値「０」を出力すると、侵入検出回路部分は、警報出力端子５３Ｐの値を「０」にすると共に値「０」の侵入者通知を処理回路５３Ｊ１に送る。この結果、テーブルタップ５のモード切り替えスイッチ５３Ｇが不在モードである場合に、人感センサ３、４が人体を感知しないと、ロジック回路５３Ｊ２は、侵入者通知を値「０」にして、侵入者がないことを通知する。
【００４２】
一方、人感センサ３、４が人体を感知すると、処理回路５３Ｊ１のセンサ入力処理により、センサ入力およびＩＤ検出・比較の両方の値が「１」になる。これらの値により、侵入検出回路部分のアンドゲートＧＡ１２は値「１」の出力をアンドゲートＧＡ１３に送る。アンドゲートＧＡ１３の一方の入力には、アンドゲートＧＡ１１から値「１」の出力が加えられているので、アンドゲートＧＡ１３は値「１」の出力を不感帯タイマーＴＭ１１に送る。この後、不感帯タイマーＴＭ１１が値「１」を出力すると、侵入検出回路部分は、警報出力端子５３Ｐの値を「１」にすると共に値「１」の侵入者通知を処理回路５３Ｊ１に送り、侵入者があることを通知する。
【００４３】
テーブルタップ５のモード切り替えスイッチ５３Ｇが不在モードである場合、ロジック回路５３Ｊ２は、先に述べた第４の動作と共に第５の動作を行う。ロジック回路５３Ｊ２の侵入検出回路部分のアンドゲートＧＡ１１が値「１」を出力すると、節電設定回路部分のアンドゲートＧＡ２１は、この値「１」を反転した値「０」により、センサ入力およびＩＤ検出・比較の値に関係なく、値「０」の出力をオアゲートＧＡ２４に送る。これにより、オアゲートＧＡ２４は、オアゲートＧＡ２５からの出力に応じて、「０」または「１」を出力する。
【００４４】
こうした状態のときに、外部からの通電信号が値「１」（節電信号は値「０」）であると、節電設定回路部分のオアゲートＧＡ２５は値「１」の出力をオアゲートＧＡ２４に送る。これにより、オアゲートＧＡ２４は、値「１」の出力をアンドゲートＧＡ２３に送る。この結果、アンドゲートＧＡ２３は、家電機器（図示を省略）の接続信号に応じた値を出力する。接続検出部５３Ｍからの接続信号が値「１」であるとき、つまり、テーブルタップ５に家電機器（図示を省略）が接続されていると、アンドゲートＧＡ２３は値「１」を出力する。これにより、節電設定回路部分は、値「１」の通電設定を電源リレー部５３Ｌに送る。この結果、電源リレー部５３Ｌがテーブルタップ５を使用可能な状態にする。一方、接続検出部５３Ｍからの接続信号が値「０」であるとき、つまり、テーブルタップ５に家電機器（図示を省略）が接続されていないとき、アンドゲートＧＡ２３は値「０」を出力する。これにより、節電設定回路部分は、値「０」の通電設定を電源リレー部５３Ｌに送る。この結果、電源リレー部５３Ｌがテーブルタップ５を使用不可の状態にする。
【００４５】
一方、テーブルタップ５のモード切り替えスイッチ５３Ｇが不在モードである場合、外部からの節電信号が値「１」（通電信号は値「０」）であると、節電設定回路部分のアンドゲートＧＡ２２は、値「１」の節電信号反転した、値「０」の入力により、値「０」の出力をオアゲートＧＡ２５に送る。オアゲートＧＡ２５には値「０」の通電信号が加わっているので、オアゲートＧＡ２５は、値「０」の出力をオアゲートＧＡ２４に送る。オアゲートＧＡ２４にはアンドゲートＧＡ２１からの値「０」の出力が加わっているので、オアゲートＧＡ２４は、値「０」の出力をアンドゲートＧＡ２３に送り、アンドゲートＧＡ２３は値「０」を出力する。これにより、節電設定回路部分は、値「０」の通電設定を電源リレー部５３Ｌに送る。この結果、電源リレー部５３Ｌがテーブルタップ５を使用不可の状態にする。
【００４６】
このように、ロジック回路５３Ｊ２は、在宅モード信号、不在モード信号、センサ入力、ＩＤ検出・比較、通電信号、節電信号および接続信号の値に応じた侵入者通報と通電設定と出力する。
【００４７】
次に、この実施の形態の多機能管理システムを用いた多機能管理方法について説明する。需要家宅Ｈでは、ＰＬＣモデム２を電灯線１２１に接続し、ＰＬＣモデム２をルータ１によりネットワークＮＷと接続可能にしておく。また、人感センサ３、４を部屋Ｈ１、Ｈ２にそれぞれ設置し、人感センサ３、４のＩＤがそれぞれ異なるように、人感センサ３、４のスイッチ３４を設定する。
【００４８】
需要家宅Ｈがこうした状態である場合に、需要家宅Ｈの家人がテーブルタップ５を例えば部屋Ｈ１で使用するとき、テーブルタップ５のプラグ５１をコンセント１１１に差し込み、テーブルタップ５の本体５３に設けられているモード切り替えスイッチ５３Ｇを在宅モードにする。テーブルタップ５を在宅モードにした場合、モード切り替えスイッチ５３Ｇは、値「１」の在宅モード信号と値「０」の不在モード信号を制御部５３Ｊに送る。これらの信号を受け取ると、制御部５３Ｊのロジック回路５３Ｊ２は第１の動作を行い、値「０」の侵入者通知を処理回路５３Ｊ１に送る。処理回路５３Ｊ１は、警報出力処理により、警報信号をＰＬＣモデム５３Ｆに出力しない。
【００４９】
テーブルタップ５の設定を在宅モードにした場合、部屋Ｈ１に設置されている人感センサ３の焦電センサ３１が人体を感知すると、制御部３２は、焦電センサ３１による感知結果を表すセンサ信号と、部屋Ｈ１を特定するためのＩＤ信号とを、無線通信部３３を制御して送信する。テーブルタップ５の無線受信部５３Ｈが人感センサ３からのセンサ信号とＩＤ信号を受信すると、処理回路５３Ｊ１は、センサ入力処理により、値「１」のセンサ入力と、同じく値「１」のＩＤ検出・比較をロジック回路５３Ｊ２に送る。このとき、家電機器（図示を省略）がテーブルタップ５に接続されていると、ロジック回路５３Ｊ２は、第２の動作により、値「１」の通電設定を電源リレー部５３Ｌに送る。これにより、テーブルタップ５が使用可能になり、テーブルタップ５に接続されている家電機器（図示を省略）に商用電源ＡＣが供給される。また、家電機器（図示を省略）がテーブルタップ５に接続されていないと、ロジック回路５３Ｊ２は、第２の動作により、値「０」の通電設定を電源リレー部５３Ｌに送る。これにより、テーブルタップ５が使用不可の状態になる。
【００５０】
テーブルタップ５の設定を在宅モードにした場合、部屋Ｈ１に設置されている人感センサ３が人体を感知しないと、テーブルタップ５の処理回路５３Ｊ１は、センサ入力処理により、値「０」のセンサ入力と、同じく値「０」のＩＤ検出・比較をロジック回路５３Ｊ２に加える。さらに、例えばＰＬＣモデム５３Ｆから受けた、外部指示が通電であると、処理回路５３Ｊ１は、外部指示処理により、値「１」の通電信号と値「０」の節電信号とをロジック回路５３Ｊ２に加える。外部指示が通電であり、家電機器（図示を省略）がテーブルタップ５に接続されていると、ロジック回路５３Ｊ２は、第３の動作により、値「１」の通電設定を電源リレー部５３Ｌに送る。これにより、テーブルタップ５が使用可能になり、テーブルタップ５に接続されている家電機器（図示を省略）に商用電源ＡＣが供給される。また、家電機器（図示を省略）がテーブルタップ５に接続されていないと、ロジック回路５３Ｊ２は、第３の動作により、値「０」の通電設定を電源リレー部５３Ｌに送る。これにより、テーブルタップ５が使用不可の状態になる。
【００５１】
テーブルタップ５の設定を在宅モードにした場合、部屋Ｈ１に設置されている人感センサ３が人体を感知しないとき、外部指示が節電であると、処理回路５３Ｊ１は、外部指示処理により、値「０」の通電信号と値「１」の節電信号とをロジック回路５３Ｊ２に加える。外部指示が節電であると、ロジック回路５３Ｊ２は、第３の動作により、値「０」の通電設定を電源リレー部５３Ｌに送る。これにより、テーブルタップ５が使用不可の状態になる。このときには、家電機器（図示を省略）が接続されているかどうかに係わらず、テーブルタップ５が常時、使用不可の状態になる。
【００５２】
ところで、需要家宅Ｈの家人がテーブルタップ５の本体５３に設けられているモード切り替えスイッチ５３Ｇを不在モードにすると、モード切り替えスイッチ５３Ｇは、値「０」の在宅モード信号と値「１」の不在モード信号を制御部５３Ｊに送る。これらの信号を受け取ると、制御部５３Ｊのロジック回路５３Ｊ２は第４の動作を行う。このとき、部屋Ｈ１の人感センサ３が人体を感知しないと、処理回路５３Ｊ１は、センサ入力処理により、値「０」のセンサ入力と、同じく値「０」のＩＤ検出・比較とをロジック回路５３Ｊ２に送る。これにより、ロジック回路５３Ｊ２は、値「０」の侵入者通知を処理回路５３Ｊ１に送る。この場合、処理回路５３Ｊ１は、警報出力処理により、警報信号をＰＬＣモデム５３Ｆに出力しない。
【００５３】
テーブルタップ５の設定を不在モードにした場合、部屋Ｈ１の人感センサ３が人体を感知すると、処理回路５３Ｊ１は、センサ入力処理により、値「１」のセンサ入力と、同じく値「１」のＩＤ検出・比較とをロジック回路５３Ｊ２に送る。これにより、ロジック回路５３Ｊ２は、第４の動作により、値「１」の侵入者通知を処理回路５３Ｊ１に送る。この場合、処理回路５３Ｊ１は、警報出力処理により、警報信号をＰＬＣモデム５３Ｆに出力する。同時に、処理回路５３Ｊ１は、人体ありを表すセンサ信号とＩＤ信号を無線受信部５３Ｈから受信すると、受け取ったＩＤに対応する検出場所を調べる。そして、処理回路５３Ｊ１は、警報出力処理により、調べた検出場所と侵入者ありを示す警報信号を生成し、この警報信号をＰＬＣモデム５３Ｆに送る。これにより、警報信号は、ＰＬＣモデム２とルータ１とを経て、ネットワークＮＷに送信され、例えば外出中の家人が所有する携帯端末が侵入者ありを通報する。
【００５４】
テーブルタップ５の設定を不在モードにした場合、ロジック回路５３Ｊ２は、第４の動作と共に第５の動作を行う。外部からの通電信号が値「１」であると、つまり、外部指示が通電であり、家電機器（図示を省略）がテーブルタップ５に接続されていると、ロジック回路５３Ｊ２は、第５の動作により、値「１」の通電設定を電源リレー部５３Ｌに送る。これにより、テーブルタップ５が使用可能になり、テーブルタップ５に接続されている家電機器（図示を省略）に商用電源ＡＣが供給される。また、家電機器（図示を省略）がテーブルタップ５に接続されていないと、ロジック回路５３Ｊ２は、第５の動作により、値「０」の通電設定を電源リレー部５３Ｌに送る。これにより、電源リレー部５３Ｌが電源タップ５３Ｂ〜５３Ｄに供給される商用電源ＡＣを遮断し、テーブルタップ５が使用不可の状態になる。
【００５５】
また、テーブルタップ５の設定を不在モードにした場合、外部からの節電信号が値「１」であると、つまり、外部指示が節電であると、ロジック回路５３Ｊ２は、第５の動作により、値「０」の通電設定を電源リレー部５３Ｌに送る。これにより、テーブルタップ５が常時、使用不可の状態になる。
【００５６】
こうして、この実施の形態により、部屋Ｈ１、Ｈ２に設置された人感センサ３、４とテーブルタップ５とにより、テーブルタップ５が接続された部屋に対する侵入者を感知し、ネットワークＮＷを経由して、遠方の家人が所持する携帯端末に通報することができる。かつ、家人が不在の場合、または、在宅であっても、テーブルタップ５が接続された部屋Ｈ１、Ｈ２を一時的に空ける場合、ネットワークＮＷを用いた外部指示により、テーブルタップ５に接続された家電機器（図示を省略）に対する商用電源ＡＣの供給の状態を切り替えて、商用電源ＡＣの供給制御を行うことができる。つまり、この実施の形態により、人感センサ３およびテーブルタップ５の両方を利用した省エネルギー機能、人感センサ３による侵入者の感知機能などにより、需要家宅Ｈ内で多機能な管理を行うことが可能である。また、この実施の形態により、テーブルタップ５をコンセント１１１、１１２に差し込むだけで、侵入者の通報と商用電源ＡＣの供給制御をすることができるので、従来のテーブルタップに比べて、テーブルタップ５の使い勝手を向上させることが可能である。
【００５７】
（実施の形態２）
この実施の形態では、人感センサ３、４の代わりに別のセンサ、例えば、火災等で発生する煙の有無を感知する煙感知センサと、この煙感知センサを利用するためのロジック回路を用いる。このロジック回路は、煙の有無に応じて火災発生通報を行い、また、煙が発生していないときには、通電信号および節電信号の値と、家電機器の接続信号の値とに応じて、実施の形態１と同様の通電設定を出力する。
【００５８】
こうした実施の形態により、煙感知センサが煙を感知していないときの、テーブルタップを利用した省エネルギー機能、煙感知センサが煙を感知したときの、煙感知センサによる火災の検出機能などにより、需要家宅内で多機能な管理を行うことが可能である。
【００５９】
なお、この実施の形態では、煙感知センサの他にも、室内の温度を感知する温度センサ、ガスを感知するガスセンサや、室内の明るさを検出する照度センサなどの、各種のセンサを用いることができる。
【００６０】
以上、この発明の各実施の形態を詳述してきたが、具体的な構成は各実施の形態に限られるものではなく、この発明の要旨を逸脱しない範囲の設計の変更等があっても、この発明に含まれる。例えば、実施の形態１の人感センサ３、４と、実施の形態２の煙感知センサとは、無線通信部３３により感知結果をテーブルタップ５に送信したが、テーブルタップ５に人感センサ３、４や煙感知センサを直接設ける構造としてもよい。この場合にも、需要家宅内で多機能な管理を行うことが可能である。また、各実施の形態では、テーブルタップにＰＬＣモデム５３Ｆなどを組み込んだが、テーブルタップの他にも、二股のコンセントなどに組み込んでもよい。
【図面の簡単な説明】
【００６１】
【図１】この発明の実施の形態１による多機能管理システムを示す構成図である。
【図２】図１の部屋の様子を示す図である。
【図３】人感センサを示す構成図である。
【図４】テーブルタップの外観を示す正面図である。
【図５】テーブルタップの内部の様子を示す図である。
【図６】テーブルタップの構成を示す構成図である。
【図７】制御部の構成を示す構成図である。
【図８】ロジック回路を示す回路図である。
【符号の説明】
【００６２】
１  ルータ（通報手段）
２  ＰＬＣモデム（通報手段）
３、４  人感センサ（センサ部）
３１  焦電センサ
３２  制御部
３３  無線通信部
３４  スイッチ
３５  電源部
５  テーブルタップ
５１  プラグ
５２  ケーブル
５３  本体
５３Ａ  電源スイッチ
５３Ｂ〜５３Ｄ  電源タップ
５３Ｅ  電源部
５３Ｆ  ＰＬＣモデム（通報手段）
５３Ｇ  モード切り替えスイッチ
５３Ｈ  無線受信部
５３Ｊ  制御部（制御手段）
５３Ｊ１  処理回路
５３Ｊ２  ロジック回路
５３Ｋ  表示部
５３Ｌ  電源リレー部
５３Ｍ  接続検出部
１０１  電力量計
１０２  分電盤
１１１、１１２  コンセント
１２１  電灯線
２１２  ＬＡＮ端子
ＧＡ１１〜ＧＡ１３、ＧＡ２１〜ＧＡ２３  アンドゲート
ＧＡ２４、ＧＡ２５  オアゲート
ＴＭ１１、ＴＭ２１  不感帯タイマー
【図１】
0005142670.tif 000002
【図２】
0005142670.tif 000003
【図３】
0005142670.tif 000004
【図４】
0005142670.tif 000005
【図５】
0005142670.tif 000006
【図６】
0005142670.tif 000007
【図７】
0005142670.tif 000008
【図８】
0005142670.tif 000009